(57)【特許請求の範囲】
【請求項１】
水平断面形状を四角形とする鞄本体(3)と、この鞄本体(3)の上方であって、水平方向に延び、かつ四角形である鞄本体(3)の一辺と平行な方向に延びる姿勢に設けられて、鞄本体(3)を移動させる取っ手(2)と、水平断面形状を四角形とする前記鞄本体(3)の底面の四隅部に固定してなる水平面内で回転自在な４個の首振り自在なキャスター(1)と、４個のキャスター(1)の水平方向の向きを、鞄本体(3)の移動を停止するストップ方向に停止して、鞄本体(3)の移動を停止するようにしてなるストッパ機構(5)とを備え、
４個の前記キャスター(1)で鞄本体(3)を自立状態とし、かつ前記キャスター(1)を水平面内で回転できる状態として、取っ手(2)が押されて、鞄本体(3)を移動状態とし、
さらに、前記ストッパ機構(5)でキャスター(1)の水平方向の向きをストップ方向に停止して、鞄本体(3)の移動を停止状態とするようにしてなるキャスターを有する鞄において、
前記ストッパ機構(5)が、４個のキャスター(1)のストップ方向を以下の（Ａ）又は（Ｂ）の方向として、鞄本体(3)の移動が停止できるようにしてなるキャスターを有する鞄。
（Ａ）４個のキャスター(1)のストップ方向が、４個のキャスター(1)の連結位置を四隅とする四角形のいずれか一つの辺にほぼ平行であって、隣に配置するキャスター(1)の水平方向の向きが互いに直交する方向にあって、互いに対角位置にある一対のキャスター(1)の水平方向の向きが互いに平行な方向。
（Ｂ）４個のキャスター(1)のストップ方向が、４個のキャスター(1)の連結位置を四隅とする四角形のいずれか一つの辺にほぼ平行であって、互いに対角位置にある一対のキャスター(1)の向きが互いに直交する方向。
【請求項２】
前記４個のキャスター(1)のストップ方向と、４個のキャスター(1)の連結位置を四隅とする四角形のいずれか一つの辺となす角度が１５度以内である請求項１に記載されるキャスターを有する鞄。
【請求項３】
前記鞄本体(3)が外形を四角形とするベースプレート(4)と、このベースプレート(4)に脱着自在に載せてなる脱着鞄(3A)とを有し、前記ベースプレート(4)の四隅にキャスター(1)を連結している請求項１または２に記載されるキャスターを有する鞄。
【請求項４】
前記ストッパ機構(5)が、４個のキャスター(1)の水平方向の向きをストップ方向に連動して停止する請求項１ないし３のいずれかに記載されるキャスターを有する鞄。
【請求項５】
前記ストッパ機構(5)が、４個のキャスター(1)の回転と停止とを切り換えるロックスイッチ(27)を備える請求項１ないし４のいずれかに記載されるキャスターを有する鞄。
【請求項６】
前記ストッパ機構(5)が、キャスター(1)を、方向が１８０度異なるふたつのストップ方向に停止させる請求項１ないし５のいずれかに記載されるキャスターを有する鞄。
【請求項７】
前記キャスター(1)の車輪(15)が外周をゴム状弾性体とする請求項１ないし６のいずれかに記載されるキャスターを有する鞄。
【発明の詳細な説明】
【技術分野】
【０００１】
本発明は、底面に４個のキャスターを設けて、キャスターで自立させながら水平面内において自由な方向に移動できる鞄に関し、とくに、移動させる必要がない状態では、キャスターの水平方向の向きを特定して移動しないようにできるキャスターを有する鞄に関する。
【背景技術】
【０００２】
底面に４個のキャスターを設けて、キャスターで自立して自由な方向に移動できる鞄は便利に使用できる。ただ、この鞄は、移動させる必要がない状態においても、路面の傾斜や電車の加速や減速の慣性で移動してしまう欠点がある。この欠点を解消するために、キャスターの車輪が回転しないようにブレーキで停止する構造が開発されている。（特許文献１参照）
【０００３】
この鞄は、車輪の外周を局部的にブレーキで押圧して回転しないように停止するので、車輪の外周に歪みができやすい欠点がある。車輪の外周に歪みができると、鞄を移動するときに振動が出て、快適に移動できなくなる。
【０００４】
この欠点を解消する鞄として、キャスターの水平面内の向きをハ字状又は逆ハ字状に停止して、移動できない状態とする鞄が開発されている。（特許文献２参照）
【先行技術文献】
【特許文献】
【０００５】
【特許文献１】特開平１１−５６４３８号公報
【特許文献２】特許第４８６３５３１号公報
【発明の概要】
【発明が解決しようとする課題】
【０００６】
キャスターの水平面内の向きをハ字状や逆ハ字状として移動を停止する鞄は、４個のキャスターをハ字状や逆ハ字状とする状態では、移動は停止できるが、方向によっては鞄の水平面内の回転を停止できない欠点がある。また、この鞄は、キャスターの水平面内の方向を、ハ字状や逆ハ字状とするので、鞄を停止させる状態では鞄がわずかに移動し、あるいはわずかに回転して確実に定位置に固定できない欠点がある。それは、キャスターの方向を、鞄の移動方向に対して傾斜する方向として、鞄の移動を停止するからである。停止する状態でわずかに移動する鞄は、常に便利な状態で使用できない。この種の鞄は、主として電車などに乗ったときに、移動を停止するロック状態とするが、この状態でわずかに移動する鞄は、電車の加速や停止、あるいはカーブで曲がるときの加速度で移動しないようにユーザーが保持する必要があるので、便利に使用できない。それは、鞄が移動して隣の人に衝突する等の弊害を確実に阻止する必要があるからである。
【０００７】
本発明は、さらに以上の欠点を解決することを目的に開発されたものである。本発明の重要な目的は、停止状態において鞄の移動と回転の両方を確実に停止できるキャスターを有する鞄を提供することにある。
【課題を解決するための手段及び発明の効果】
【０００８】
本発明のキャスターを有する鞄は、水平断面形状を四角形とする鞄本体３と、この鞄本体３の上方であって、水平方向に延び、かつ四角形である鞄本体３の一辺と平行な方向に延びる姿勢に設けられて、鞄本体３を移動させる取っ手２と、水平断面形状を四角形とする鞄本体３の底面の四隅部に固定してなる水平面内で回転自在な４個のキャスター１と、４個のキャスター１の水平方向の向きを、鞄本体３の移動を停止するストップ方向に停止して、鞄本体３の移動を停止するようにしてなるストッパ機構５とを備える。この鞄は、４個のキャスター１で鞄本体３を自立状態とし、かつキャスター１を水平面内で回転できる状態として、取っ手２を押して鞄本体３を移動できる状態とする。さらに、鞄は、ストッパ機構５でキャスター１の水平方向の向きをストップ方向に停止して、鞄本体３の移動を停止状態とする。さらにまた、ストッパ機構５は、４個のキャスター１のストップ方向を以下の（Ａ）又は（Ｂ）の方向として、鞄本体３の移動を停止させる。
（Ａ）４個のキャスター１のストップ方向が、４個のキャスター１の連結位置を四隅とする四角形のいずれか一つの辺にほぼ平行であって、隣に配置するキャスター１の水平方向の向きが互いに直交する方向にあって、互いに対角位置にある一対のキャスター１の水平方向の向きが互いに平行な方向。
（Ｂ）４個のキャスター１のストップ方向が、４個のキャスター１の連結位置を四隅とする四角形のいずれか一つの辺にほぼ平行であって、互いに対角位置にある一対のキャスター１の向きが互いに直交する方向。
なお、本明細書において、「４個のキャスターのストップ方向が、４個のキャスターの連結位置を四隅とする四角形のいずれか一つの辺とほぼ平行」とは、ストップ方向と四角形のいずれか一つの辺となす角度が３０度以内となる状態を含む広い意味で使用する。
【０００９】
以上のキャスターを有する鞄は、停止状態において、鞄の移動と回転の両方を確実に停止できる特徴がある。それは、以上の鞄が、停止状態においては２個のキャスターのストップ方向を、ユーザーが取っ手を長手方向に押して鞄本体を移動させる方向に対して直交する方向に停止して、鞄の移動を停止するからである。
キャスターのストップ方向の向きを、ハ字状や逆ハ字状としてロック状態とする従来の鞄は、キャスターの向きが、移動方向に対して約４５度傾斜する姿勢として停止させるので、鞄を全く移動できない状態には停止できない。取っ手が押されて鞄が移動することで、ハ字状や逆ハ字状に配置している一対のキャスターの移動軌跡の幅が狭くなり、あるいは広くなることによって、鞄の移動を停止するからである。
これに対して以上の鞄は、移動方向に直交する方向を向く２個のキャスターで移動を停止する。キャスターは、車輪を回転させる方向にはスムーズに移動できても、車輪を回転させない横方向には移動しない。このため、以上の鞄は、停止状態で鞄をほとんど移動させることなく、停止できる。したがって、この種の鞄は、主たる用途である、移動する電車などで鞄の移動を停止する状態で、全く移動しない理想的なロック状態に停止できる。また、以上の鞄は、キャスターのストップ方向を、４個のキャスターの連結位置を四隅とする四角形のいずれか一つの辺にほぼ平行とし、かつ、隣に配置するキャスターの水平方向の向きが互いに直交する方向とし、あるいは、互いに対角位置にある一対のキャスターの水平方向の向きを互いに直交する方向とするので、停止状態において、鞄の回転も確実に停止できる特徴がある。
この種の鞄は、混雑する電車などで使用するときに、移動を停止して便利に使用できる。たとえば、ユーザーが電車の座席に座り、両足の間や外側に鞄を置いて移動を停止させる状態とする。この状態で、鞄が移動したり回転すると、隣や近くの人に鞄が衝突して迷惑をかけることがある。とくに、混雑する車内では、鞄がわずかに移動し、あるいは回転しても、隣の人に鞄が接触して迷惑をかけることがある。本発明の鞄は、キャスターの方向を特定の方向とすることで、鞄の移動と回転を確実に停止できるので、混雑する車内においては、鞄を停止状態として、隣の人に衝突して迷惑をかけることがなく、ユーザーは安心して便利に使用できる特徴がある。
【００１０】
本発明のキャスターを有する鞄は、４個のキャスター１のストップ方向と、４個のキャスター１の連結位置を四隅とする四角形のいずれか一つの辺となす角度を１５度以内とすることができる。
以上の鞄は、互いに隣接して直交する方向にある一対のキャスター同士において、一方のキャスターのストップ方向を、他方のキャスターの水平面内で回転する回転軸により接近できるので、停止状態における鞄の移動を確実に停止できる。
【００１１】
本発明のキャスターを有する鞄は、鞄本体３を、外形を四角形とするベースプレート４と、このベースプレート４に脱着自在に載せている脱着鞄３Ａとで構成し、ベースプレート４の四隅にキャスター１を連結する構造とすることができる。
以上の鞄は、ベースプレートに脱着鞄を脱着できるように載せているので、同じ形状のベースプレートに、大きさや形状が異なる脱着鞄を載せることができる。また、ベースプレートの四隅にキャスターを連結することで、キャスターを簡単に、しかも強固に鞄本体に固定できる。
【００１２】
本発明のキャスターを有する鞄は、ストッパ機構５でもって、４個のキャスター１の水平方向の向きをストップ方向に連動して停止することができる。
以上の鞄は、ストッパ機構で４個のキャスターを一緒にストップ方向に停止できるので、移動状態と停止状態を簡単に切り換えできる。
【００１３】
本発明のキャスターを有する鞄は、ストッパ機構５に、４個のキャスター１の回転と停止とを切り換えるロックスイッチ２７を設けることができる。
以上の鞄は、ロックスイッチを操作して、４個のキャスターを、自由に移動できる状態と、移動を停止する状態とに簡便に切り換えできる。
【００１４】
本発明のキャスターを有する鞄は、ストッパ機構５でもって、キャスター１を、方向が１８０度異なるふたつのストップ方向に停止させることができる。
以上の鞄は、ストッパ機構がキャスターを１８０度以上回転させることなく、ストップ方向へ素早く停止させることができる。
【００１５】
本発明のキャスターを有する鞄は、キャスター１の車輪１５の外周をゴム状弾性体とすることができる。
この鞄は、停止状態でキャスターのスリップを防止して、停止状態では鞄本体をとくに移動しないように停止できる特徴がある。それは、車輪の外周をゴム状弾性体とすることで、鞄の移送方向と直交する方向を向く車輪と、路面との摩擦抵抗を大きくできるからである。
【図面の簡単な説明】
【００１６】
【図１】本発明の一実施例にかかるキャスターを有する鞄の斜視図である。
【図２】図１に示すキャスターを有する鞄の脱着鞄を外した斜視図である。
【図３】ベースプレートにキャスターを連結する部分を示す拡大断面図である。
【図４】４個のキャスターのストップ方向の一例を示す概略底面図である。
【図５】４個のキャスターのストップ方向の他の一例を示す概略底面図である。
【図６】４個のキャスターのストップ方向の他の一例を示す概略底面図である。
【図７】ストッパ機構のオフ状態における操作部を示す一部拡大正面図である。
【図８】図７に示すストッパ機構のＶＩＩＩ−ＶＩＩＩ線断面図である。
【図９】ストッパ機構のオン状態における操作部を示す一部拡大正面図である。
【図１０】図９に示すストッパ機構のＸ−Ｘ線断面図である。
【図１１】ストッパ機構のオフ状態におけるロック部を示す一部断面底面図である。
【図１２】図１１に示すロック部の拡大図である。
【図１３】ストッパ機構のオン状態におけるロック部を示す一部断面底面図であって、キャスターが停止されない状態を示す図である。
【図１４】ストッパ機構のオン状態におけるロック部を示す一部断面底面図であって、キャスターが停止された状態を示す図である。
【図１５】キャスターが首振りする状態を示す側面図である。
【発明を実施するための形態】
【００１７】
以下、本発明の実施例を図面に基づいて説明する。ただし、以下に示す実施例は、本発明の技術思想を具体化するためのキャスターを有する鞄を例示するものであって、本発明はキャスターを有する鞄を以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１８】
図１と図２に示すキャスターを有する鞄は、水平断面形状を四角形とする鞄本体３と、この鞄本体３の上方であって、水平方向に延び、かつ四角形である鞄本体３の一辺と平行な方向に延びる姿勢に設けられて、鞄本体３を移動させる取っ手２と、水平断面形状を四角形とする鞄本体３の底面の四隅部に固定してなる水平面内で回転自在な４個の首振り自在なキャスター１と、４個のキャスター１の水平方向の向きを、鞄本体３の移動を停止するストップ方向に停止して、鞄本体３の移動を停止するようにしてなるストッパ機構５とを備える。
【００１９】
鞄本体３は、外形を四角形とするベースプレート４と、このベースプレート４に脱着自在に載せている脱着鞄３Ａとからなり、ベースプレート４の下面であって、その四隅部にキャスター１を連結している。
【００２０】
ベースプレート４は、平面形状を長方形として、片側に取っ手２を連結する一対の伸縮ロッド２１を固定している。一対の伸縮ロッド２１は、上端に取っ手２を連結している。取っ手２は、水平姿勢であって、四角形の鞄本体３の一辺と平行な方向に延びる姿勢に設けられる。図の鞄本体３は、ベースプレート４の平面形状と、鞄本体３の水平断面形状を長方形とする。この鞄は、ユーザーが取っ手２を握って、長手方向に押して移動される。長方形の鞄本体３は、長方形の長手方向に押して移動される。長方形のベースプレート４は、長手方向に押して移動させることで、前後に傾くことなく、安定に移動できる。また、移動状態で鞄本体３の横幅を狭くできる。
【００２１】
鞄本体３を長手方向に移動させる取っ手２は、鞄本体３とベースプレート４の長手方向と平行な姿勢でベースプレート４に固定される。取っ手２は一対の伸縮ロッド２１の上端に連結されるので、一対の伸縮ロッド２１は、ベースプレート４の片側で、長方形の一方の長辺側に下端を固定している。
【００２２】
伸縮ロッド２１は、ベースプレート４に固定される最下段の第１ロッド２１Ａと、この第１ロッド２１Ａに上下に移動できるように挿入している第２ロッド２１Ｂと、さらに、第２ロッド２１Ｂに上下に移動できるように挿入している第３ロッド２１Ｃとからなる。第１ロッド２１Ａは、ベースプレート４に一体的に成形して設けている固定筒体２２に挿入され、固定筒体２２に接着などの方向で垂直に固定している。第２ロッド２１Ｂは、第１ロッド２１Ａに対して上下に移動できるが、引き抜きできないように、引き延ばした状態で停止される。同じように、第３ロッド２１Ｃは、第２ロッド２１Ｂに対して上下に移動できるが、引き抜きできないように、引き延ばした状態で停止される。一対の第１ロッド２１Ａは、その上端を水平姿勢の補強ロッド２３で連結している。
【００２３】
さらに、伸縮ロッド２１は、第２ロッド２１Ｂと第３ロッド２１Ｃを押し下げて取っ手２を最も下に降下させる位置と、第２ロッド２１Ｂと第３ロッド２１Ｃを引き上げて、取っ手２を最も上に引き上げる位置でロック状態に停止するロック機構（図示せず）を備えている。ロック機構は、取っ手２の上面中央部に設けた操作ボタン２Ａを押して、ロック状態を解除して、取っ手２を上下に移動させる。
【００２４】
この図の伸縮ロッド２１では、ロッドを３段に伸縮できるように連結しているが、これに限定されることなく、仕様により２段または４段などとすることができる。また、取っ手は、伸縮しないロッドを介してベースプレートに連結することもできる。この鞄は、収納するときやユーザーが持ち上げて移動するときに、取っ手を最下部にロックする。この状態で収納し、あるいは、ユーザーが取っ手を握って鞄を持ち上げて移動する。キャスターで移動させるときは、取っ手を最上部に持ち上げ、取っ手を押して移動する。
【００２５】
ベースプレート４は、四隅部に首振り自在なキャスター１を固定している。図３の断面図は、ベースプレート４にキャスター１を連結する部分を示している。この図のベースプレート４は、キャスター１を連結する固定部２４を四隅部に固定している。固定部２４は、キャスター１を挿入して固定する円筒形の嵌着凹部２４Ａを下方に開口するように設けている。さらにまた、固定部２４は、後述するストッパ機構５の突出ピン１０を出入りさせる貫通孔２４Ｘを設けている。
【００２６】
首振り自在なキャスター１は、ベースプレート４に固定するために、嵌着凹部２４Ａと同径の円柱形の基礎台１１を備え、この基礎台１１を嵌着凹部２４Ａに挿入して接着剤等で固定部２４に、すなわちベースプレート４に固定している。さらに、基礎台１１は、固定部２４の貫通孔２４Ｘに挿入される突出ピン１０を出入りさせる開口孔１１Ｘを設けている。後述するストッパ機構５の突出ピン１０は、固定部２４の貫通孔２４Ｘと、基礎台１１の開口孔１１Ｘに出入りできるように挿通されて、キャスター１をストップ方向に停止する。
【００２７】
キャスター１の基礎台１１は、垂直軸１２とベアリング１３を介して、ヨーク１４を水平面内で回転できるが抜けないように連結している。ベアリング１３は、内輪１３Ａと外輪１３Ｂとの間に複数の剛球１３Ｃを介在させている。基礎台１１は、その中心に垂直軸１２を固定して、垂直軸１２の下部にベアリング１３の内輪１３Ａを固定している。垂直軸１２は、上下の両端の鍔部１２Ａ、１２Ｂで、基礎台１１とベアリング１３の内輪１３Ａを挟んで、内輪１３Ａを基礎台１１に固定している。ベアリング１３の外輪１３Ｂは、ヨーク１４に固定され、ヨーク１４はベアリング１３を介して水平面内で回転できるように、基礎台１１と固定部２４を介してベースプレート４に固定される。ヨーク１４を水平面内で回転できるように、基礎台１１はヨーク１４の上部を回転自在に挿入する連結開口１１Ａを設けている。ヨーク１４は、連結開口１１Ａに接触することなく、基礎台１１に回転できるように連結される。ヨーク１４は、連結開口１１Ａへの挿入部１４Ａを円柱状とし、連結開口１１Ａは、円柱状の挿入部１４Ａの外形よりも大きな内径の円柱状としている。
【００２８】
ヨーク１４は、その下端部に、水平姿勢のシャフト１６を介して、車輪１５を回転できるように連結している。車輪１５は、凹凸のある路面をスムーズに移動できるように、外周をゴム状弾性体としている。この車輪１５は、全体を弾性変形できるウレタンで成形し、あるいは、外周縁に沿って弾性変形するウレタンなどを固定して、外周をゴム状弾性体とする。車輪１５もベアリング（図示せず）を介してシャフト１６に連結されて、よりスムーズに回転できる。
【００２９】
以上の鞄本体３は、ベースプレート４に脱着鞄３Ａを脱着できるように連結している。図に示す脱着鞄３Ａは、固定用のベルト３Ｂを備えており、このベルト３Ｂを介してベースプレート４の上に載せた状態で定位置に固定できるようにしている。図の脱着鞄３Ａは、ベルト３Ｂを伸縮ロッド２１に固定することにより、ベースプレート４の定位置に連結している。このように、ベースプレート４に脱着鞄３Ａを脱着できるように連結する構造は、脱着鞄３Ａを用途に応じて大小に交換して便利に使用できる。また、大小の脱着鞄３Ａを有する複数タイプのものを、安価に多量生産できる。ただ、本発明は、鞄本体を必ずしもベースプレートに脱着鞄を脱着できるように連結する構造には特定せず、鞄本体の底面の四隅部に直接にキャスターを連結する構造とすることもできる。
【００３０】
以上の鞄は、４個のキャスター１で鞄本体３を自立させる状態とし、取っ手２を長手方向に押して移動される。また、ストッパ機構５で首振り自在なキャスター１の水平方向の向きをストップ方向に停止して、鞄本体３の移動を停止状態とする状態とすることもできる。このストッパ機構５は、４個の首振り自在なキャスター１のストップ方向を、以下の（Ａ）又は（Ｂ）の方向として、鞄本体３の移動を停止する。
【００３１】
（Ａ）４個のキャスター１のストップ方向が、４個のキャスター１の連結位置を四隅とする四角形のいずれか一つの辺にほぼ平行であって、隣に配置するキャスター１の水平方向の向きが互いに直交する方向にあって、互いに対角位置にある一対のキャスター１の水平方向の向きが互いに平行な方向。
【００３２】
以上の状態を図４の概略底面図に示している。この停止状態において、４個のキャスター１は、互いに隣接するものが直交する方向を向くので、鞄が矢印Ａで示す方向に移動しようとするときは、移動方向に直交する車輪１５ａと車輪１５ｃが移動を停止する。また、矢印Ｂで示す方向に移動しようとするときは、移動方向に直交する車輪１５ｂと車輪１５ｄが移動を停止する。また、鞄が回転しようとするときは、全ての車輪１５が回転を停止する。
【００３３】
（Ｂ）４個のキャスター１のストップ方向が、４個のキャスター１の連結位置を四隅とする四角形のいずれか一つの辺にほぼ平行であって、互いに対角位置にある一対のキャスター１の向きが互いに直交する方向。
【００３４】
以上の状態を図５と図６の概略底面図に示している。この停止状態において、４個のキャスター１は、互いに対角に位置するものが直交する方向を向く。したがって、図５の鞄は、矢印Ａで示す方向に移動しようとするときは、移動方向に直交する車輪１５ｃと車輪１５ｄが移動を停止し、矢印Ｂで示す方向に移動しようとするときは、移動方向に直交する車輪１５ａと車輪１５ｂが移動を停止する。また、鞄が回転しようとするときは、車輪１５ａと車輪１５ｂが回転を停止する。図６の鞄は、矢印Ａで示す方向に移動しようとするときは、移動方向に直交する車輪１５ｂと車輪１５ｃが移動を停止し、矢印Ｂで示す方向に移動しようとするときは、移動方向に直交する車輪１５ａと車輪１５ｄが移動を停止する。また、鞄が回転しようとするときは、車輪１５ｂと車輪１５ｃが回転を停止する。
【００３５】
なお、以上の図４〜図６に示すキャスター１のストップ方向は、４個のキャスター１の連結位置を四隅とする四角形のいずれか一つの辺に平行としている。ただし、本発明の鞄は、４個のキャスターのストップ方向を、四角形のいずれか一つの辺に対して多少角度のある状態とすることもできる。本発明の鞄は、キャスターのストップ方向と、四角形のいずれか一つの辺となす角度を３０度以内、好ましくは１５度以内とすることができる。
【００３６】
ストッパ機構５は、キャスター１の水平方向の向きを、図４ないし図６に示す方向に停止して、鞄を停止状態とし、また、キャスター１を水平面内で自由に回転できる状態として、移動できる状態、すなわち移動状態とする。
【００３７】
ストッパ機構５は、４個のキャスター１の水平方向の向きを、連動してストップ方向に停止して、移動状態と停止状態とに切り換える。このストッパ機構５は、伸縮ロッド２１の補強ロッド２３に設けている操作部６と、この操作部６にワイヤー７で連結しているロック部８とからなる。ユーザーが操作部６を操作すると、ロック部８がキャスター１の方向をストップ方向に停止して、停止状態とする。また、操作部６を操作して、移動状態に切り換えられる。
【００３８】
操作部６は、図７〜図１０に示すように、ワイヤー７を引っ張って、キャスター１の方向をストップ方向に停止して停止状態とし、ワイヤー７を引っ張らない状態でキャスター１を移動状態とする。操作部６は、補強ロッド２３の内部に、長手方向に往復運動できるように配置している往復ブロック２６と、この往復ブロック２６に連結して補強ロッド２３の外側に突出しているロックスイッチ２７とからなる。往復ブロック２６は、補強ロッド２３の内部に長手方向に固定されたガイド筒２５の内側に配置されており、このガイド筒２５の内面に沿って軸方向（補強ロッド２３の長手方向）に往復運動できるようにしている。ロックスイッチ２７は、連結ロッド２８を介して往復ブロック２６に連結されている。連結ロッド２８は、往復ブロック２６のガイド穴２６Ａに出入りできるように挿入している四角柱状の挿入部２８Ｂと、この挿入部２８Ｂよりも細く、先端にロックスイッチ２７であるツマミを連結しているロッド部２８Ａからなる。ガイド穴２６Ａは、挿入部２８Ｂとの間にコイルスプリングの押しバネ２９を内蔵している。押しバネ２９は、連結ロッド２８の挿入部２８Ｂを弾性的に押圧している。ガイド筒２５は、その側面に、連結ロッド２８のロッド部２８Ａを貫通させるスリット２５Ａを長手方向に設けている。往復ブロック２６は、ロッド部２８Ａをスリット２５Ａに沿って移動させることにより、ガイド筒２５の軸方向に移動する。スリット２５Ａは、ロッド部２８Ａを長手方向に案内して、往復ブロック２６をガイド筒２５の軸方向に移動させる。往復ブロック２６をワイヤー７の引っ張り位置で停止するために、スリット２５Ａの端部には、連結ロッド２８の挿入部２８Ｂを案内するロック開口２５Ｂを連結している。ロック開口２５Ｂは、スリット２５Ａの横幅よりも広く、四角柱状の挿入部２８Ｂを案内できる内形としている。
【００３９】
以上の操作部６は、図９と図１０の矢印で示すように、ワイヤー７を引っ張る方向にロックスイッチ２７が移動されて、ロッド部２８Ａをスリット２５Ａに沿って移動させる。ロッド部２８Ａがスリット２５Ａの終端まで移動すると、連結ロッド２８の挿入部２８Ｂが押しバネ２９に押されて、ロック開口２５Ｂに案内される。この状態で、往復ブロック２６はワイヤー７を引っ張り状態に保持する。挿入部２８Ｂがロック開口２５Ｂに案内されることにより、往復ブロック２６がワイヤー７に引っ張られて復帰するのが阻止されるからである。ワイヤー７が往復ブロック２６に引っ張られる状態は、鞄の移動を停止させる停止状態となるので、鞄はこの状態では移動しない状態に保持される。
【００４０】
鞄を移動状態に切り換えるときは、押しバネ２９を圧縮して、挿入部２８Ｂをガイド穴２６Ａに挿入するようにロックスイッチ２７を押し込み、挿入部２８Ｂをロック開口２５Ｂからガイド穴２６Ａの内側に押し出して、ロック開口２５Ｂにロッド部２８Ａを案内する。この状態で、ロッド部２８Ａをスリット２５Ａに沿って移動させて、往復ブロック２６を復帰位置、すなわち、ワイヤー７を引っ張らない位置に移動させる。
【００４１】
ワイヤー７は、ワイヤーチューブ７Ａの内部に挿通されており、一端を操作部６のロックスイッチ２７に、他端をロック部８のスライドブロック３０に連結している。ワイヤーチューブ７Ａは、補強ロッド２３からベースプレート４まで延長されており、内部のワイヤー７をスムーズに往復運動できるようにしている。ワイヤー７は、操作部６のロックスイッチ２７が、引っ張り方向にスライドされると、往復ブロック２６に牽引されて、スライドブロック３０へ牽引力を伝達する。逆に、ワイヤー７は、操作部６のロックスイッチ２７が、復帰方向にスライドされると、往復ブロック２６に押されて、スライドブロック３０を復帰させ、あるいは、スライドブロック３０が復帰方向に付勢されることにより、往復ブロック２６を牽引して、スライドスイッチ２７を復帰させる。
【００４２】
ロック部８は、図１１〜図１４に示すように、ベースプレート４の下面に配置されて、ワイヤー７で往復運動されるスライドブロック３０と、このスライドブロック３０の往復運動でキャスター１のヨーク１４に向かって出入りされる突出ピン１０とを備える。
【００４３】
スライドブロック３０は、ベースプレート４の下面を往復運動して、スライドブロック３０の両側に配置された突出ピン１０をキャスター１のヨーク１４に向かって出入りさせる。図１１〜図１４に示すスライドブロック３０は、ベースプレート４の中央部に配置された細長いストレート部３１と、このストレート部３１の両端部に設けられた押圧ブロック部３２とを備えている。ストレート部３１は、ワイヤー７の一端が連結されており、ワイヤー７で駆動されてスライドブロック３０を往復方向に移動させる。図に示すスライドブロック３０は、ストレート部３１がワイヤーで引っ張られると、図１３の矢印で示す方向にスライドし、反対に、ストレート部３１がワイヤー７で押されて、あるいは、スライドブロック３０を逆方向に付勢する弾性体を介して、図１３の矢印と反対方向にスライドする。ここで、スライドブロック３０を逆方向に付勢する弾性体として、専用のコイルスプリングを配設することもできるが、図に示すように、後述する第１の押圧バネ３７Ａを兼用することもできる。さらに、図に示すスライドブロック３０は、ストッパ機構５が動作不良の時に強制的に往復方向に移動させる操作部３３も備えている。図１１に示すスライドブロック３０は、操作部３３として、ストレート部３１の下面に突出する凸部を設けており、この凸部を直接操作して、スライドブロック３０をスライドできるようにしている。
【００４４】
スライドブロック３０を所定の方向に往復運動させるために、ベースプレート４の下面にはガイドケース３４を配置している。ガイドケース３４は、スライドブロック３０の外周に沿う周壁３４ａ、３４ｂ、３４ｃ、３４ｄを有しており、この周壁３４ａ、３４ｂ、３４ｃ、３４ｄの内側にスライドブロック３０を収納している。図１１〜図１４に示すガイドケース３４は、ストレート部３１を案内するスライド溝３４Ａを中央部に有すると共に、両端部には押圧ブロック部３２を案内する収納スペース３４Ｂを備えている。スライド溝３４Ａは、対向する周壁３４ａの間にストレート部３１を案内して、このストレート部３１をスライド溝３４Ａの内面に沿って往復運動させるようにしている。スライド溝３４Ａの両端に設けた収納スペース３４Ｂは、内部に収納される押圧ブロック部３２を、図の矢印で示す方向に往復運動できる形状としている。ガイドケース３４は、図において、左側に位置する第１の押圧ブロック部３２Ｘを収納する第１の収納スペース３４Ｂｘと、図において右側に位置する第２の押圧ブロック部３２Ｙを収納する第２の収納スペース３４Ｂｙとを有している。さらに、以上のカバーケース３４は、周壁２４ａ、３４ｂ、３４ｃ、３４ｄの開口部をカバープレート３５（図においては、一点鎖線で表示）で閉塞している。カバープレート３５は、カバーケース３４全体とその周囲の一部分をカバーして、内部に収納された部材が落下し、あるいは内部に異物が侵入するのを防止している。また、図に示すカバープレート３５は、前述のストレート部３１に設けた操作部３３を表出させて往復運動させる開口窓３５Ａを開口している。
【００４５】
ストレート部３１の両端に設けた押圧ブロック部３２は、ベースプレート４の両端部において対向する一対のキャスター１の間に配置されている。この押圧ブロック部３２は、、スライドブロック３０が往復運動される状態で、両側に配置された突出ピン１０を対向するキャスター１のヨーク１４に向かって突出位置と引き込み位置とに往復運動させる。押圧ブロック３２は、両側に突出する突出傾斜面３２Ａを備えており、この突出傾斜面３２Ａに沿って移動する移動ブロック３６を介して、突出ピン１０を突出位置と引き込み位置とに移動させる。押圧ブロック部３２は、図１２の矢印で示す方向にスライドする状態で、移動ブロック３６を突出傾斜面３２Ａに沿って摺動させて、突出ピン１０をキャスター１に向かって移動させる。図１２に示す押圧ブロック部３２は、スライドブロック３０が図の矢印で示す方向にスライドする状態で、突出ピン１０を突出させる方向に移動ブロック３６を移動できるように突出傾斜面３２Ａを設けている。図１３に示すスライドブロック３０は、ストレート部３１の両端に、第１の押圧ブロック部３２Ｘと第２の押圧ブロック部３２Ｙとからなる２つの押圧ブロック部３２を設けている。第１の押圧ブロック部３２Ｘは、図の矢印で示す方向に移動する状態で、移動方向に向かって先細りとなる形状、すなわち、後端側の幅が広くなる形状として、両側に突出する突出傾斜面３２Ａを設けている。第２の押圧ブロック部３２Ｘは、図の矢印で示す方向に移動する状態で、移動方向に対して後端側の幅が広くなる形状として、両側に突出する突出傾斜面３２Ａを設けている。以上のスライドブロック３０は、図１３及び図１４で示す前進位置において、突出ピン１０を突出位置に押し出し、図１１で示す後退位置において、突出ピン１０を引き込み位置に後退させる。さらに、スライドブロック３０は、往復運動する状態で、各押圧ブロック部３２の両側に配置した移動ブロック３６、すなわち、４個の移動ブロック３６を同時に移動させる。
【００４６】
移動ブロック３６は、押圧ブロック部３２の両側に対向して配置されており、往復運動する押圧ブロック部３２の突出傾斜面３２Ａに沿ってスライドして、スライドブロック３０の往復運動方向に対して直交する水平方向に移動する。図１２に示す移動ブロック３６は、突出傾斜面３２Ａとの境界に摺動部３６Ａを有しており、この摺動部３６Ａを押圧ブロック部３２の突出傾斜面３２Ａに沿ってスライドさせて、各移動ブロック３６を、対向するキャスター１に向かって接近し、あるいは離れる方向に移動させるようにしている。すなわち、各々の移動ブロック３６は、往復運動する押圧ブロック部３２の突出傾斜面３２Ａに沿って摺動部３６Ａをスライドさせて、移動ブロック３６をスライドブロック３０の往復運動方向（ベースプレート４の長手方向）に対して直行する水平方向（ベースプレート４の短手方向）に往復運動させる。図のガイドケース３４は、移動ブロック３６を所定の方向に移動させるために、収納スペース３３Ｂの両側にガイド溝３４Ｃを設けている。このガイド溝３４Ｂは、スライドブロック３０の往復運動方向に対して直行する水平方向、すなわちベースプレート４の短手方向に延長して設けている。ガイド溝３４Ｃは、対向する周壁３４ｃの間に移動ブロック３６を案内して、移動ブロック３６をガイド溝３４Ｃの内面に沿って往復運動させる。
【００４７】
図に示す移動ブロック３６は、摺動部３６Ａを、突出傾斜面３２Ａに沿う傾斜面３６ａとしている。この移動ブロック３６は、往復運動する押圧ブロック部３２の突出傾斜面３２Ａに沿って傾斜面３６ａをスライドさせて、移動ブロック３６をベースプレートの短手方向に往復運動させる。この構造の移動ブロック３６は、押圧ブロック部３２の突出傾斜面３２Ａに傾斜面３６ａを広い面積で接触させながら摺動させるので、移動ブロック３６を突出傾斜面３２Ａに沿って確実に移動できる特徴がある。図に示す移動ブロック３６は、摺動部３６Ａを傾斜面３６ａとして、外形を片台形状としている。この移動ブロック３６は、片台形状の平行な２辺をガイド溝３４Ｃの周壁３４ｃに沿ってスライドさせて、対向するキャスター１に接近し、あるいは離れる方向に移動するようにしている。ただ、摺動部は、湾曲面とすることもできる。この摺動部は、摩擦抵抗を小さくしながら移動ブロックを移動できる。
【００４８】
さらに、移動ブロック３６は、キャスター１に向かって出入りする突出ピンの後端部を収納する収納凹部３６Ｂを備えている。収納凹部３６Ｂは、キャスター１の方向に開口部を有する溝状の凹部で、内部に突出ピン１０の後端部を往復できるように収納している。収納凹部３６Ｂは、突出ピン１０の後端部に設けた鍔部１０Ｂを内部に案内して、往復運動できる構造としている。
【００４９】
突出ピン１０は、キャスター１のヨーク１４に向かって、正確には、ヨークの中心である垂直軸１２に向かって出入りされて、キャスター１のヨーク１４をストップ方向に停止する停止状態とし、あるいは、ヨーク１４を停止しない移動状態とする。突出ピン１０は、細長いロッド部１０Ａの後端に鍔部１０Ｂを有する形状としている。突出ピン１０は、ロッド部１０Ａを、固定部２４の貫通孔２４Ｘに挿通すると共に、後端の鍔部１０Ｂを、移動ブロック３６の収納凹部３６Ｂに出入りできるように挿入している。この突出ピン１０は、固定部２４と基礎台１１を貫通するロッド部１０Ａが、キャスター１のヨーク１４に向かって押し出されて、先端部がヨーク１４に設けた係止凹部９に挿入される状態で、ヨーク１４をストップ方向に停止させる。ロッド部１０Ａが後退されて、先端部がヨーク１４の係止凹部９から引き出される状態では、キャスター１のヨーク１４は停止されることなく自由に回転できる状態となる。
【００５０】
以上の突出ピン１０は、固定部２４に対して弾性的に出入りできるように配置されている。突出ピン１０を弾性的に出入させるために、突出ピン１０の鍔部１０Ｂを、押圧バネ３７を介して移動ブロック３６の収納凹部３６Ｂに配置している。図の押圧バネ３７は、突出ピン１０の鍔部１０Ｂの前後に配置された第１の押圧バネ３７Ａと第２の押圧バネ３７Ｂとからなる。
【００５１】
第１の押圧バネ３７Ａは、突出ピン１０の鍔部１０Ｂと周壁３４ｄとの間に配置されると共に、中心にロッド部１０Ａを挿通する状態で配置されて、鍔部１０Ｂを引き込み方向に押圧している。この周壁３４ｄは、突出ピン１０を貫通させる貫通孔（図示せず）を開口している。第１の押圧バネ３７Ａは、図１３及び図１４で示すように、スライドブロック３０が後退位置から前進位置に移動する状態では、弾性変形してロッド部１０Ａの先端をヨーク１４に向かって弾性的に突出させる。また、第１の押圧バネ３７Ａは、図１１で示すように、スライドブロック３０が前進位置から後退位置に移動する状態では、鍔部を弾性的に押圧して突出ピン１０を引き込む方向に移動させる。
【００５２】
第２の押圧バネ３７Ｂは、移動ブロック３６の収納凹部３６Ｂに配置されており、一端を収納凹部３６Ｂの底面に、他端を鍔部１０Ｂに当接させて、突出ピン１０を押し出し方向に押圧している。この第２の押圧バネ３７Ａは、図１３及び図１４で示すように、スライドブロック３０が後退位置から前進位置に移動して、移動ブロック３６が突出方向に移動する状態では、鍔部１０Ｂを弾性的に押圧して突出ピン１０を突出方向に押圧し、図１１で示すように、スライドブロック３０が前進位置から後退位置に移動する状態では、第１の押圧バネ３７Ａに押圧される鍔部１０Ｂに一端が押圧されて、移動ブロック３６を引き込む方向に押圧する。
【００５３】
さらに、スライドブロック３０が前進位置に移動して、移動ブロック３６が突出方向に移動する状態で、突出方向に押し出される突出ピン１０の先端がヨーク１４の係止凹部９に案内されない状態、すなわち、図１３に示すように、突出ピン１０の先端がヨーク１４の外周面を押圧する状態では、第２の押圧バネ３７Ｂは、弾性変形して突出ピン１０の鍔部１０Ｂを移動ブロック３６の収納凹部３６Ｂの内部に弾性的に引き込むようにしている。ヨーク１４に向かって押し出される突出ピン１０は、図１４に示すように、ロッド部１０Ａの先端位置に対向してヨーク１４の係止凹部９が位置する状態では、ロッド部１０Ａの先端が速やかに係止凹部９に案内されてヨーク１４をストップ位置で停止させる。ただ、キャスター１のヨーク１４に設けた係止凹部９は、必ずしも突出するロッド部１０Ａの先端に常にあるとは限らない。このとき、ヨーク１４に向かって押し出されるロッド部１０Ａの先端は、図１３に示すように、係止凹部９に案内されることなくヨーク１４の外周面に当接する。したがって、この状態では、突出ピン１０は、完全な突出位置までは突出せず、後端部が移動ブロック３６の収納凹部３６Ｂに収納された待機状態となる。この状態で、キャスター１のヨーク１４が回転して、係止凹部９がロッド部１０Ａの先端との対向位置に来ると、図１４に示すように、第２の押圧バネ３７Ｂに弾性的に押圧される突出ピン１０のロッド部１０Ａの先端が係止凹部９に挿入されてヨーク１４をストップ位置で停止させる。
【００５４】
押し出される突出ピン１０の先端に係止凹部９が位置していない場合においては、図１３に示すように、突出ピン１０の先端面はヨーク１４の外周面を押圧し、この状態では、ヨーク１４の回転は停止されない。ただ、キャスター１は、図１５に示すように、地面４０に接触する車輪１５の最下点Ｕを中心として簡単に回転できる状態にある。それは、図の矢印Ａで示すように、鞄本体３をわずかに前後に移動させるだけでキャスター１が首振りしてヨーク１４が回転するからである。したがって、ストッパ機構５を操作する状態で、いずれかキャスター１のヨーク１４の係止凹部９に突出ピン１０の先端が挿入されない状態においては、図の矢印Ａで示すように、鞄本体３をわずかに前後に移動させることによって、キャスター１のヨーク１４を回転させて、ヨーク１４の係止凹部９に突出ピン１０の先端を挿入してヨーク１４を係止状態として、簡単にキャスター１をストップ方向に停止できる。
【００５５】
以上の押圧バネ３７は、第２の押圧バネ３７Ｂの押圧力を、第１の押圧バネ３７Ａの押圧力よりも大きくしている。これにより、移動ブロック３６が押圧ブロック部３２で押圧されて突出する状態では、突出ピン１０を突出方向に押し出し、また、突出ピン１０の先端がヨーク１４の外周面に当接して突出ピン１０を突出位置まで押し出しできない状態では、突出ピン１０を当接位置に停止させ、さらにまた、突出ピン１０の先端がヨーク１４の係止凹部９に位置する状態では、突出ピン１０を突出位置まで押し出してロッド部１０Ａの先端を係止凹部９に挿入するようにしている。
【００５６】
以上のロック部８は、押圧バネ３７として、第１の押圧バネ３７Ａと第２の押圧バネ３７Ｂをバランスして配置しているが、押圧バネは、必ずしも、第１の押圧バネと第２の押圧バネを有する必要はなく、前述の押圧状態を実現できるように、一つの押圧バネをバランスして配置することもできる。
【００５７】
キャスター１のヨーク１４は、外周面に突出ピン１０のロッド部１０Ａの先端部が挿入される係止凹部９を設けている。この係止凹部９は、ロッド部１０Ａの先端と対向する位置であって、ロッド部１０Ａの先端部を案内してヨーク１４の回転を阻止できる深さと形状に設けている。４隅のキャスター１は、前述の図４ないし図６に示すストップ方向でヨーク１４を停止できるように、各々のキャスター１のヨーク１４に係止凹部９を設けている。図のヨーク１４は、方向が１８０度異なるふたつのストップ方向に停止できるように、ヨーク１４の直径の両端に位置して二つの係止凹部９を設けている。このヨーク１４は、キャスター１が半回転する状態では、いずれかの係止凹部９に突出ピン１０の先端を案内できるので、速やかにキャスター１の回転を停止できる。ただ、キャスターは、必ずしも二つの係止凹部を設ける必要はなく、一つの係止凹部を設けて一つのストップ方向に停止できる構造とすることもできる。
【００５８】
以上のストッパ機構５は、以下の動作をして、キャスター１の方向をストップ方向に停止して鞄を停止状態とし、また、キャスター１を自由に首振りできる状態として、鞄を移動状態とする。
［鞄を停止状態とする場合］
（１）ユーザーは、ストッパ機構５のロックスイッチ２７を操作して、図９と図１０の矢印で示す方向に移動させる。移動するロックスイッチ２７は、往復ブロック２６を移動させて、ワイヤー７を牽引する。この状態で、連結ロッド２８の挿入部２８Ｂをガイド筒２５のロック開口２５Ｂに案内して、ロックスイッチ２７をロック位置に停止させる。
（２）牽引されるワイヤー７は、ロック部８のスライドブロック３０を引っ張って、図１１で示す後退位置から図１３で示す前進位置に移動させる。
（３）移動するスライドブロック３０は、両端の押圧ブロック部３２の突出傾斜面３２Ａに沿って移動ブロック３６の摺動部３６ａをスライドさせて、移動ブロック３６をキャスター１に向かって移動させる。
（４）キャスター方向に移動する移動ブロック３６は、第２の押圧バネ３７Ｂを介して突出ピン１０を押圧して、ロッド部１０Ａの先端をキャスター１のヨーク１４に向かって突出させる。
（５）ヨーク１４に向かって突出する突出ピン１０は、図１４に示すように、ロッド部１０Ａの先端位置に対向してヨーク１４の係止凹部９が位置する状態では、ロッド部１０Ａの先端が速やかに係止凹部９に案内されてヨーク１４をストップ位置で停止させる。
ロッド部１０Ａの先端位置に対向してヨーク１４の係止凹部９がない状態では、ロッド部１０Ａの先端は、図１３に示すように、係止凹部９に案内されることなくヨーク１４の外周面に当接する。この状態になると、図１５の矢印Ａで示すように、鞄本体３をわずかに前後に移動させて、キャスター１のヨーク１４を回転させ、ヨーク１４の係止凹部９に突出ピン１０の先端を挿入する。
【００５９】
以上のようにして、全ての突出ピン１０の先端を、対向するヨーク１４の係止凹部９に挿入して全てのヨーク１４を係止状態とし、４個のキャスター１をストップ方向に停止させて鞄本体３の移動を停止状態とする。
【００６０】
［鞄を移動状態とする場合］
（１）ユーザーは、ストッパ機構５のロックスイッチ２７を操作して、ロックスイッチ２７のロック状態を解除する。
（２）ロックスイッチ２７を図７と図８で示す位置に移動させる。移動するロックスイッチ２７は、往復ブロック２６を移動させて、ワイヤー７を押し出す。
（３）押し出されるワイヤー７は、ロック部８のスライドブロック３０を押圧して、図１４で示す前進位置から図１１で示す後退位置に移動させる。
（４）スライドブロック３０が後退位置に向かって移動すると、第１の押圧バネ３７Ａが突出ピン１０の鍔部１０Ｂを押圧して、突出ピン１０を引き込み位置まで移動させる。
（５）突出ピン１０が引き込み位置に移動すると、図１１に示すように、ロッド部１０Ａの先端がヨーク１４の係止凹部９から引き抜かれて、ヨーク１４のストップ状態が解除される。
以上のようにして、全ての突出ピン１０の先端をヨーク１４の係止凹部９から引き抜いて、４個のキャスター１を水平面内で回転できる状態として、鞄本体３を移動状態とする。
【００６１】
以上のストッパ機構５は、操作部６のロックスイッチ２７を操作して４個のキャスター１の方向をストップ方向に停止でき、また、鞄を移動できる状態に切り換えできる。したがって、極めて簡単に、鞄を停止状態と移動状態に切り換えできる。ただ、本発明のキャスター１を有する鞄は、ストッパ機構を以上の構造には特定しない。たとえば、スライドブロックをベースプレートの一端に突出させて操作部とし、この操作部をユーザーが往復運動させて、停止状態と移動状態に切り換えできる。また、ロック機構は、ヨークの外周の一部に磁石に吸着される磁性材料を固定し、この磁性材料に接近し、また離れるように永久磁石を配置し、永久磁石を磁性材料に接近して、キャスターの方向をストップ方向として鞄を停止状態とし、永久磁石を磁性材料から離して鞄を移動状態に切り換える構造とすることもできる。
【産業上の利用可能性】
【００６２】
本発明のキャスターを有する鞄は、旅行用、ビジネス用、買い物用などのキャリングケース等として、さらに荷物搬送用の台車等としても好適に利用できる。
【符号の説明】
【００６３】
１…キャスター
２…取っ手                ２Ａ…操作ボタン
３…鞄本体                ３Ａ…脱着鞄
３Ｂ…ベルト
４…ベースプレート
５…ストッパ機構
６…操作部
７…ワイヤー              ７Ａ…ワイヤーチューブ
８…ロック部
９…係止凹部
１０…突出ピン            １０Ａ…ロッド部
１０Ｂ…鍔部
１１…基礎台              １１Ａ…連結開口
１１Ｘ…開口孔
１２…垂直軸              １２Ａ…鍔部
１２Ｂ…鍔部
１３…ベアリング          １３Ａ…内輪
１３Ｂ…外輪
１３Ｃ…剛球
１４…ヨーク              １４Ａ…挿入部
１５…車輪                １５ａ…車輪
１５ｂ…車輪
１５ｃ…車輪
１５ｄ…車輪
１６…シャフト
２１…伸縮ロッド          ２１Ａ…第１ロッド
２１Ｂ…第２ロッド
２１Ｃ…第３ロッド
２２…固定筒体
２３…補強ロッド
２４…固定部              ２４Ａ…嵌着凹部
２４Ｘ…貫通孔
２５…ガイド筒            ２５Ａ…スリット
２５Ｂ…ロック開口
２６…往復ブロック        ２６Ａ…ガイド穴
２７…ロックスイッチ
２８…連結ロッド          ２８Ａ…ロッド部
２８Ｂ…挿入部
２９…押しバネ
３０…スライドブロック
３１…ストレート部
３２…押圧ブロック部      ３２Ｘ…第１の押圧ブロック部
３２Ｙ…第２の押圧ブロック部
３２Ａ…突出傾斜面
３３…操作部
３４…ガイドケース        ３４Ａ…スライド溝
３４Ｂ…収納スペース部
３４Ｂｘ…第１の収納スペース
３４Ｂｙ…第２の収納スペース
３４Ｃ…ガイド溝
３４ａ…周壁
３４ｂ…周壁
３４ｃ…周壁
３４ｄ…周壁
３５…カバープレート      ３５Ａ…開口窓
３６…移動ブロック        ３６Ａ…摺動部
３６ａ…傾斜面
３６Ｂ…収納凹部
３７…押圧バネ            ３７Ａ…第１の押圧バネ
３７Ｂ…第２の押圧バネ
４０…地面
【図１】
0005458154.tif 000002
【図２】
0005458154.tif 000003
【図３】
0005458154.tif 000004
【図４】
0005458154.tif 000005
【図５】
0005458154.tif 000006
【図６】
0005458154.tif 000007
【図７】
0005458154.tif 000008
【図８】
0005458154.tif 000009
【図９】
0005458154.tif 000010
【図１０】
0005458154.tif 000011
【図１１】
0005458154.tif 000012
【図１２】
0005458154.tif 000013
【図１３】
0005458154.tif 000014
【図１４】
0005458154.tif 000015
【図１５】
0005458154.tif 000016